(57)【要約】【課題】屋根を流れてきた水流の高い集水機能、及び水流以外の異物の高い排除機能のいずれも満たすことのできる軒先用集水部材及び軒先構造を提供する。【解決手段】軒先５２に取り付けられて屋根面ｍ上を流れる水流Ｗを樋５３に集水する軒先用集水部材１であり、水流Ｗを樋５３の内部にガイドするガイド部材３と、屋根面ｍ上を流れる水流Ｗ以外の異物Ｋを樋５３の外側縁より外側にガイドする複数のリブ部材４とを備える。【選択図】図１
2007120153.tif 000002
【特許請求の範囲】
【請求項１】
屋根の軒先に取り付けられて屋根面上を流れる水流を樋に集水する軒先用集水部材であって、
前記軒先に取り付けられた状態で屋根下端部から外側に向かって延ばされ、前記屋根面上を流れる水流を樋内部にガイドするガイド部材と、このガイド部材の上面に所定間隔をおいて突設され、前記屋根面上を流れる水流以外の異物を前記樋の外側縁より外側にガイドする複数のリブ部材とを備えていることを特徴とする軒先用集水部材。
【請求項２】
前記ガイド部材は、延長線が前記樋内部に位置するように向くガイド面を有し、前記複数のリブ部材は、延長線が前記樋の外側縁よりも外側に向くガイド縁を有している請求項１に記載の軒先用集水部材。
【請求項３】
前記屋根を構成する屋根瓦等の屋根材と一体化された屋根材一体タイプである請求項１又は２に記載の軒先用集水部材。
【請求項４】
前記屋根を構成する屋根瓦等の屋根材と野地板との間に挟み込み可能な取付部を有する端部取付タイプである請求項１又は２に記載の軒先用集水部材。
【請求項５】
前記樋に被せるように構成されたカバータイプである請求項１又は２に記載の軒先用集水部材。
【請求項６】
屋根と、この屋根の軒先に沿って設けられた樋と、屋根面上を流れる水流を前記樋に集水すべく前記軒先に取り付けられた請求項１〜５のいずれか一項に記載の軒先用集水部材とを備えていることを特徴とする建物の軒先構造。
【発明の詳細な説明】
【技術分野】
【０００１】
本発明は、屋根の軒先に沿って設けられた樋に雨水等の水流を集水するための軒先用集水部材、及びこの軒先用集水部材を用いた軒先構造に関する。
【背景技術】
【０００２】
従来の軒先用集水部材として、例えば特許文献１や特許文献２に記載されたものが知られている。特許文献１に記載された軒先用集水部材では、屋根側の平面部と、屋外側の曲面部と、この曲面部の先端に設けられた櫛状の水切り板とからなり、特許文献２に記載された軒先用集水部材では、屋根の下端部に取り付ける取付部と、この取付部の下部先端から下方に延設された櫛歯形状の軒先本体とから構成されている。
【特許文献１】実開平６−４９６２５号公報
【特許文献２】特開平９−１２５６３０号公報
【発明の開示】
【発明が解決しようとする課題】
【０００３】
特許文献１の軒先用集水部材では、平面部及び曲面部に沿って流れてきた水流の一部は、櫛状の水切り板から樋に流されるものの、屋根の傾斜がきつい場合や降雨量が多い場合には水流が大きくなり、平面部を勢いよく流れてきた水流は、水切り板が曲面部の先端に位置しているため集水されずに、樋の外側へ飛び出してしまう。すなわち、当該軒先用集水部材には水流の集水機能が十分でないという欠点がある。
また、特許文献２の軒先用集水部材では、軒先本体の先端は樋の内部に挿入されており、屋根を伝ってきた落ち葉等の異物は当該軒先本体に沿って樋に入ってしまい、その異物を樋の外側へ十分に排除することができない。つまり、当該軒先用集水部材には水流以外の落ち葉等の異物を排除する機能が十分でないという欠点がある。
【０００４】
そこで、本発明はこのような従来技術の問題点に鑑み、屋根を伝ってきた水流の高い集水機能、及び水流以外の異物の高い排除機能のいずれも満たすことのできる軒先用集水部材、及びこの軒先用集水部材を用いた軒先構造を提供することを目的とする。
【課題を解決するための手段】
【０００５】
上記目的を達成するため、本発明は次の技術的手段を講じた。
すなわち、本発明は、屋根の軒先に取り付けられて屋根面上を流れる水流を樋に集水する軒先用集水部材であって、前記軒先に取り付けられた状態で屋根下端部から外側に向かって延ばされ、前記屋根面上を流れる水流を樋内部にガイドするガイド部材と、このガイド部材の上面に所定間隔をおいて突設され、前記屋根面上を流れる水流以外の異物を前記樋の外側縁より外側にガイドする複数のリブ部材とを備えていることを特徴とする。
【０００６】
上記本発明によれば、屋根に取り付けた状態で屋根下端部から外側に向かって延びるガイド部材により、屋根面上を流れる水流が樋内部にガイドされるので、水流が勢いよく流れてきても樋の外側へ飛び出し難い。さらに、ガイド部材の上面に所定間隔をおいて立設された複数のリブ部材により、屋根面上を流れる水流以外の異物が樋の外側縁より外側にガイドされるので、その異物は樋の内部には入り難く樋の外側に排除される。従って、本発明に係る軒先用集水部材は、屋根を流れてきた水流の高い集水機能及び水流以外の異物の高い排除機能をいずれも満たすことができる。
【０００７】
上記本発明において、上記のような集水機能及び排除機能を発揮するには、例えば前記ガイド部材は、延長線が前記樋内部に位置するように向くガイド面を有し、前記複数のリブ部材は、延長線が前記樋の外側縁よりも外側に向くガイド線を有していればよい。
【０００８】
上記本発明において、上記軒先用集水部材が前記屋根を構成する屋根瓦等の屋根材と一体化された屋根材一体タイプとされていれば、当該軒先用集水部材を後から別途取り付ける手間を省くことができる。
また、上記軒先用集水部材が前記屋根を構成する屋根瓦等の屋根材と野地板との間に挟み込み可能な取付部を有する端部取付タイプとされていれば、当該軒先用集水部材を屋根に取り付け易くなる。
さらに、上記軒先用集水部材が前記樋に被せるように構成されたカバータイプとされていれば、水流以外の異物が樋に直接的に入り込むことがなくなる。
【０００９】
また、本発明の軒先構造は、屋根と、この屋根の軒先に沿って設けられた樋と、屋根面上を流れる水流を前記樋に集水すべく前記軒先に取り付けられた上記軒先用集水部材とを備えていることを特徴とする。
このような軒先構造とすれば、ガイド部材により、水流が勢いよく流れてきても樋の外側へ飛び出してしまうことがなく、かつ、複数のリブ部材により、屋根を伝ってきた水流以外の異物は樋の内部には入らずその外側に排除される。従って、当該軒先構造は、水流の高い集水機能、及び水流以外の異物の高い排除機能のいずれも満たすことができる。
【発明の効果】
【００１０】
本発明によれば、屋根面上を流れる水流が樋の内部にガイドされるガイド部材、及び屋根面上を流れる水流以外の異物を樋の外側縁より外側にガイドするリブ部材を設けたので、屋根面上を流れてきた水流の高い集水機能、及び水流以外の異物の高い排除機能をいずれも満たすことができる。
【発明を実施するための最良の形態】
【００１１】
以下、図面を参照しつつ本発明の実施形態を説明する。図１及び図２は、本発明の軒先用集水部材１を用いた軒先構造５０の一実施形態を示している。この軒先構造５０は、屋根５１の軒先５２に、樋５３に雨水等の流水を集水するための軒先用集水部材１が設けられたものである。軒先用集水部材１は、図４（ａ）に示すように板状の屋根材本体２と、この屋根材本体２に固定された集水部材Ｓとで構成されている。
【００１２】
上記軒先用集水部材１のうち屋根材本体２は屋根５１の一部をなす屋根材からなるものであり、軒先５２に沿う方向（以下、横方向という）に長く、屋根５１上下方向（以下、上下方向という）の所要幅を有し、その上下方向一端が先窄み状となっている。
また、上記集水部材Ｓは、ガイド部材３及びこのガイド部材３の上面に設けられた複数のリブ部材４からなり、当該ガイド部材３とリブ部材４とは、図４（ｂ）及び図５に示すように一枚の板材を折り曲げることで互いに一体となって構成されたものであり、折り曲げられた板材の底部がガイド部材３となり、この底部から一方に延び先端で折り返された壁部がリブ部材４となっている。
【００１３】
そして、集水部材Ｓの一端部が上記屋根材本体２に固定されて、当該屋根材本体２とガイド部材３及びリブ部材４が互いに一体化されている。家屋の建設に際して、複数の当該軒先用集水部材１を軒先に沿って取り付けることで、屋根５１の施工と同時に当該軒先用集水部材１が設けられ、後から別途取り付ける手間を省くことができる。なお、屋根材とガイド部材及びリブ部材とを一体化した変形例として、例えば図７のような軒先用集水部材１０としてもよい。この軒先用集水部材１０は、屋根材として屋根の角部を構成する方形状の屋根材本体５４とガイド部材５５とリブ部材５６とが一体化されたものであり、上記軒先用集水部材１のように屋根材本体２に集水部材Ｓを後から固定する手間を省くことができる。
【００１４】
上記ガイド部材３は、屋根５１の屋根面ｍ上を流れる水流Ｗを樋５３内部にガイドするものであり、軒先用集水部材１が軒先５２に設けられた状態で屋根５１下端部から外側に向かって延びてスロープ状となっている（図２参照）。また、当該ガイド部材３はその中途部で折り曲げられ、その上面が水流のガイド面３ｇとなっている。このガイド面３ｇは、上流側の第一ガイド面３ｇ１と、当該第一ガイド面３ｇ１に連続する下流側の第二ガイド面３ｇ２を有して２段とされており、第二ガイド面３ｇ２の延長線３Ｌが樋５３の内部に位置するように向いている。
【００１５】
以下、傾斜角度とは屋根面ｍに対する下方への傾斜角度（本実施形態では屋根材本体２に対する傾斜角度）をいうものとする。第一ガイド面３ｇ１及び第二ガイド面３ｇ２の傾斜角度としては、例えば５°以上３０°以下とすることが挙げられる。当該傾斜角度を５°以上とすることで、水流が第一ガイド面３ｇ１及び第二ガイド面３ｇ２にはり付けられ、当該水流を下方へ速やかに流すことができ、３０°以下とすることで、水流がガイド面３ｇに沿わないで、樋５３の外縁から外側へ飛ぶように流れることを防止することができる。本実施形態の第二ガイド面３ｇ２の傾斜角度θ２は、第一ガイド面３ｇ１の傾斜角度θ１よりも大きくされており、この場合、第一ガイド面３ｇ１の傾斜角度θ１を、例えば１０°以上１５°以下とし、第二ガイド面３ｇ２の傾斜角度θ２を１５°以上２５°以下とすることが挙げられる。なお、第一ガイド面３ｇ１及び第二ガイド面３ｇ２の傾斜角度は、上記の範囲に限定されるものではなく、適宜変更することができる。
【００１６】
上記ガイド部材３の上面に設けられた複数のリブ部材４は、屋根５１の屋根面ｍ上を流れる水流Ｗ以外の落ち葉等の異物を樋５３の外側縁より外側にガイドするものである。これらリブ部材４は、ガイド部材３の上面において、例えば横方向に５ｍｍ以上３５ｍｍ以下の間隔ｔ１をおいて設けられる。なお、当該間隔ｔ１は、この範囲に限定されるものではなく適宜変更することができる。従って、図１に示すように、軒先用集水部材１が屋根５１に設けられた状態で、複数のリブ部材４がガイド部材３の上面で軒先５２に沿って（横方向に）並んでいる。
【００１７】
また、リブ部材４は、図４（ｃ）に示すように略三角形状とされており、その上部先端がガイド縁４ｇとなっている。そして、このガイド縁４ｇは、その延長線４Ｌが樋５３の外側縁よりも外側に向くように、屋根の外側（下方）に向かうに従ってガイド部材３との間隔を広げており屋根材本体２と面一となっている。
リブ部材４の上記延長線４Ｌとは、図２に示す直線状のものに限られず、図３に示すように落ち葉等の異物が落下していく曲線状のものも含まれ、この場合、曲線状の延長線４Ｌが樋５３の外側縁よりも外側に向くことになる。なお、図３はガイド縁４ｇを下方に湾曲させたリブ部材４の変形例である。また、ガイド部材３の上記延長線３Ｌについても、図２に示す直線状のものに限られず、水流が落下していく曲線状のものも含まれる。
【００１８】
上記軒先用集水部材１を用いた軒先構造５０とすれば、図６（ａ）及び（ｂ）に示すように、屋根面ｍ上を流れる雨水等の水流Ｗと、屋根面ｍ上を落下する落ち葉や雪等の異物Ｋは、ガイド部材３とリブ部材４によって分けられて、それぞれガイド面３ｇとガイド縁４ｇに沿って落ちていく。そして、屋根面ｍ上を流れる水流Ｗは、ガイド部材３のガイド面３ｇに沿ってその延長線３Ｌの先にある樋５３の内部にガイドされる。それと共に、屋根面ｍ上を落下する異物Ｋは、リブ部材４によりそのガイド縁４ｇに沿ってその延長線４Ｌの先となっている樋５３の外側へガイドされる。
【００１９】
従って、屋根面ｍ上を水流Ｗが勢いよく流れてきても樋５３の外側へ飛び出し難く、樋５３にその殆どが集水される。また、屋根面ｍ上を伝ってきた落ち葉等の異物Ｋは樋５３の内部には入り難く、その外側にその殆どが排除される。すなわち、本実施形態に係る軒先用集水部材１は、屋根５１を流れてきた水流Ｗの高い集水機能、及び水流以外の異物Ｋの高い排除機能をいずれも満たすことができるようになっている。特に、雪の多い地域では雪降ろしの際、樋５３が邪魔になったり、雪が樋５３に当たって樋５３が壊れたりすることがない点で有効である。
【００２０】
図８は、本発明に係る軒先用集水部材の第二実施形態を示している。本実施形態の軒先用集水部材２０が上記実施形態と異なる点は、屋根を構成する屋根瓦等の屋根材５１ａと野地板との間に挟み込み可能な取付部２４を有する端部取付タイプとなっている点である。この軒先用集水部材２０は、板状の取付部２４と、この取付部２４の一端に固定されたガイド部材２１と、ガイド部材２１の上面に設けられた複数のリブ部材２２とから構成されている。
【００２１】
上記軒先用集水部材２０のうち取付部２４は、軒先５２に沿う方向に長く、かつガイド部材２１及びリブ部材２２を支えられるように屋根５１上下方向に沿う所要幅を有している。また、当該取付部２４の厚み寸法は、屋根材５１ａと野地板との間に挟み込めるようなものとなっており、当該取付部２４を屋根材５１ａと野地材との間に挿入し易くなっている。このような取付部２４が設けられていることにより、軒先用集水部材２０を屋根に簡単に取り付けることができるようになっている。
【００２２】
図９は、本発明に係る軒先用集水部材の第三実施形態を示す模式図である。本実施形態の軒先用集水部材３０が上記実施形態と異なる点は、樋５３に被せるカバータイプとされている点である。リブ部材３３はガイド部材３２の下側まで延設されて、その下端が樋５３の上縁に当接されている。従って、同図に示すように最も端にあるリブ部材３３が、カバータイプとされた軒先用集水部材３０のカバー側部３３Ｓとなっている。さらに、リブ部材３３の外側先端が樋５３の外側縁まで延びており、このリブ部材３３の外側先端に、そこから樋５３の外側に回り込んで当該樋５３を外側から包み込む湾曲状のカバー外側部３４が設けられている。このようなカバータイプの軒先用集水部材３０とすることで、樋５３の開口の殆どが軒先用集水部材３０に覆われて、落ち葉等の異物が樋５３に直接的に入り込むことがなくなる。
【００２３】
なお、本発明は、上記各実施形態に限定するものではなく、屋根への取り付け構造やガイド部材、リブ部材の形状を変更することができる。
【図面の簡単な説明】
【００２４】
【図１】軒先用集水部材が屋根に取り付けられた状態を示す斜視図である。
【図２】軒先用集水部材が屋根に取り付けられた状態を示す断面図である。
【図３】ガイド縁を下方に湾曲させたリブ部材の変形例を示す断面図である。
【図４】（ａ）は軒先用集水部材の平面図であり、（ｂ）は正面図であり、（ｃ）は側面図である。
【図５】軒先用集水部材の要部拡大図である。
【図６】（ａ）及び（ｂ）はガイド部材及びリブ部材により水流と落ち葉等とに分けられている状態を示す模式図である。
【図７】軒先用集水部材の変形例を示す斜視図である。
【図８】第二実施形態の軒先用集水部材が屋根に取り付けられた状態を示す斜視図である。
【図９】第三実施形態の軒先用集水部材が屋根に取り付けられた状態を示す斜視図である。
【符号の説明】
【００２５】
１    軒先用集水部材
２    取付部
３    ガイド部材
３ｇ  ガイド面
３Ｌ  延長線
４    リブ部材
４ｇ  ガイド縁
４Ｌ  延長線
５０  軒先構造
５１  屋根
５２  軒先
５３  樋
Ｗ    水流
Ｋ    水流以外の異物
【図１】
2007120153.tif 000003
【図２】
2007120153.tif 000004
【図３】
2007120153.tif 000005
【図４】
2007120153.tif 000006
【図５】
2007120153.tif 000007
【図６】
2007120153.tif 000008
【図７】
2007120153.tif 000009
【図８】
2007120153.tif 000010
【図９】
2007120153.tif 000011